(57)【特許請求の範囲】
【請求項１】
ケーブル（１０８）の中心導体（１７０）に終端されるように構成された中心コンタクト（１８０）と、
前記中心コンタクトを保持する誘電体部（１８２）と、
前記誘電体部と前記中心コンタクトとを囲む外側コンタクト（１８４）であり、嵌合端部（２０８）から延びる嵌合セグメント（２４０）、ケーブル端部（２１２）から延びる終端セグメント（２３６）、および前記嵌合セグメントと前記終端セグメントとの間の中央セグメント（２４２）を有し、前記終端セグメントは前記ケーブルの編組（１７４）に終端されるように構成され、前記中央セグメントは、前記嵌合セグメントおよび前記終端セグメントのそれぞれの直径（２４４、２４８）よりも小さい直径（２４６）を有する、外側コンタクト（１８４）と、
前記外側コンタクトの前記中央セグメントを囲むキャビティインサート（１８８）であり、界面（２６７）において一緒に連結される受取シェル（２６４）と閉鎖シェル（２６６）とを含む、キャビティインサート（１８８）と
を含むコネクタ組立体（１０４）。
【請求項２】
前記受取シェル（２６４）および前記閉鎖シェル（２６６）は、前記界面（２６７）において一緒に超音波溶接される、
請求項１に記載のコネクタ組立体（１０４）。
【請求項３】
前記キャビティインサート（１８８）はバレル形状にされ、前記受取シェル（２６４）は前記キャビティインサートの周囲の一部を形成し、前記閉鎖シェル（２６６）は前記キャビティインサートの前記周囲の残りの部分を形成する、
請求項１に記載のコネクタ組立体（１０４）。
【請求項４】
前記キャビティインサート（１８８）は、前端部（２５０）と、後端部（２５２）と、内面（２５３）とを有し、
前記内面（２５３）は、前記前端部と前記後端部との間の前記キャビティインサートを通るチャネル（２５４）を画定し、
前記外側コンタクト（１８４）の前記中央セグメント（２４２）は、前記チャネル（２５４）に受け取られ、
前記内面（２５３）は、前記嵌合セグメント（２４０）および前記終端セグメント（２３６）のそれぞれの直径（２４４、２４８）よりも小さい直径（２６８）を有する、
請求項１に記載のコネクタ組立体（１０４）。
【請求項５】
前記中心コンタクト（１８０）、前記誘電体部（１８２）、前記外側コンタクト（１８４）、および前記キャビティインサート（１８８）は、サブ組立体（１９６）を画定し、
前記コネクタ組立体は、前記サブ組立体を受け取る空洞（１９８）を有する外側ハウジング（１９２）をさらに含み、
前記キャビティインサートは、前記空洞内に前記サブ組立体の軸方向位置を保持するために前記外側ハウジングにロックされる少なくとも１つのフランジ（２５６、２５７、２５８）を含む、
請求項１に記載のコネクタ組立体（１０４）。
【請求項６】
前記キャビティインサート（１８８）は、前記キャビティインサートから半径方向外側に延びる２つのフランジ（２５６、２５７）の間に形成された溝（２６０）を含み、
前記溝は、リテーナ（１９４）のアーム（３７４）を受け入れ、前記リテーナは、前記外側ハウジングの前記空洞（１９８）内に前記サブ組立体（１９６）の前記軸方向位置を保持するために前記外側ハウジング（１９２）に結合される、
請求項５に記載のコネクタ組立体（１０４）。
【請求項７】
前記外側コンタクト（１８４）は、第１の肩部（２２４）と第２の肩部（２２５）とを有する階段状バレル形状に打抜き形成され、
前記第１の肩部（２２４）は、前記嵌合セグメント（２４０）を前記中央セグメント（２４２）から分離し、
前記第２の肩部（２２５）は、前記中央セグメントを前記終端セグメント（２３６）から分離する、
請求項１に記載のコネクタ組立体（１０４）。
【請求項８】
前記キャビティインサート（１８８）の前記受取シェル（２６４）は、第１の端部（３１０）と、反対側の第２の端部（３１２）とを含み、
前記閉鎖シェル（２６６）は、第１の端部（３２０）と、反対側の第２の端部（３２２）とを含み、
前記受取シェルの前記第１の端部は、第１のシーム（３５２）において前記閉鎖シェルの前記第１の端部に連結され、
前記受取シェルの前記第２の端部は、第２のシーム（３５４）において前記閉鎖シェルの前記第２の端部に連結される、
請求項１に記載のコネクタ組立体（１０４）。
【請求項９】
前記外側コンタクト（１８４）の前記終端セグメント（２３６）と前記ケーブル（１０８）の前記編組（１７４）とを囲む外側フェルールをさらに含み、
前記編組は、前記外側フェルール（１８６）と前記終端セグメントとの間に挟まれ、
前記外側フェルールは、前記終端セグメントを前記編組に終端するためにクリンプされる、
請求項１に記載のコネクタ組立体（１０４）。
【請求項１０】
前記外側コンタクト（１８４）は固定機構（２３２）を含み、前記キャビティインサート（１８８）は、前記キャビティインサートに対する前記外側コンタクトの軸方向位置を保持するために前記外側コンタクトの前記固定機構に係合する相補的固定機構（２３４）を含む、
請求項１に記載のコネクタ組立体（１０４）。
【発明の詳細な説明】
【技術分野】
【０００１】
本明細書の主題は、一般に、コネクタ組立体に関する。高周波（ＲＦ）コネクタ組立体は、全地球測位システム（ＧＰＳ）、アンテナ、無線、モバイルフォン、マルチメディアデバイスなどのような軍事用途および自動車用途を含む非常に多くの用途で使用されている。コネクタ組立体は、一般に、同軸ケーブルの端部に設けられる同軸ケーブルコネクタである。
【背景技術】
【０００２】
様々なタイプのコネクタ組立体、特に、そのようなコネクタ組立体のためのインタフェースを標準化するために、いくつかの業界標準が確立されている。これらの標準のうちの１つはＦＡＫＲＡと呼ばれる。ＦＡＫＲＡは、Ｆａｃｈｎｏｒｍｅｎａｕｓｓｃｈｕｓｓ  Ｋｒａｆｔｆａｈｒｚｅｕｇｉｎｄｕｓｔｒｉｅというドイツ語用語の略語である。ＦＡＫＲＡはドイツ標準化協会の自動車標準化委員会であり、自動車分野における国際標準化の利益を代表する。ＦＡＫＲＡ標準は、キーイングおよび色コーディングに基づき、適切なコネクタ取付けのためのシステムを提供する。ＦＡＫＲＡコネクタにおいて、特定のジャックキーは、同様のプラグキー溝にのみ接続することができる。コネクタハウジングの安全確実な位置決めおよびロックは、ジャックまたは第１の組立体のハウジング上のＦＡＫＲＡで画定されたキャッチと、プラグまたは第２の組立体のハウジングの協働ラッチとを介して促進される。
【０００３】
コネクタ組立体は、中心コンタクトと、中心コンタクトをシールドする外側コンタクトとを含む。コネクタ組立体は、中心コンタクトおよび外側コンタクトが相手側コネクタの対応する中心相手側コンタクトおよび外側相手側コンタクトに電気的に係合できるようにするために、相手側コネクタへの結合のための嵌合インタフェースを含む外側ハウジングをさらに含む。中心コンタクトが中にある外側コンタクトは、外側ハウジングの空洞内に受け取られる。キャビティインサートが、一般に、外側ハウジングの空洞内に外側コンタクトを維持するために使用される。キャビティインサートは、外側コンタクトが様々な異なる外側ハウジングと適合することを可能にし得るアダプタである。
【発明の概要】
【発明が解決しようとする課題】
【０００４】
一般に、キャビティインサートは、外側コンタクトの端部の上にキャビティインサートを滑らせることによって外側コンタクトに装填される。通常、キャビティインサートは、外側コンタクトの前部または嵌合端部よりも小さい直径を有する外側コンタクトの後部またはケーブル端部の上に装填される。外側コンタクトのケーブル端部は、ケーブルに終端されるように構成される。外側コンタクトに終端するケーブルの直径が増加するにつれて、外側コンタクトのケーブル端部の直径は、ケーブルを受け入れるために増加しなければならない。しかしながら、キャビティインサートの直径を増加させて、キャビティインサートがケーブル端部および／または嵌合端部の上に嵌合できるようにすることは、外側ハウジング内の空間制限のために、実現可能でないことがある。より大きい直径のケーブルを収容し、それでもなお、外側ハウジング内に外側コンタクトを維持するために外側コンタクトの上にケーブル挿入部を装填できるようにすることが可能であるコネクタ組立体が求められている。
【課題を解決するための手段】
【０００５】
課題は、中心コンタクト、誘電体部、外側コンタクト、およびキャビティインサートを有する、本明細書で説明するようなコネクタ組立体によって解決される。中心コンタクトは、ケーブルの中心導体に終端されるように構成される。誘電体部は中心コンタクトを保持する。外側コンタクトは、誘電体部と中心コンタクトとを囲む。外側コンタクトは、嵌合端部から延びる嵌合セグメント、ケーブル端部から延びる終端セグメント、および嵌合セグメントと終端セグメントとの間の中央セグメントを有する。終端セグメントは、ケーブルの編組に終端されるように構成される。中央セグメントは、嵌合セグメントおよび終端セグメントのそれぞれの直径よりも小さい直径を有する。キャビティインサートは、外側コンタクトの中央セグメントを囲む。キャビティインサートは、界面において一緒に連結される受取シェルと閉鎖シェルとを含む。
【０００６】
次に、本発明が、添付図面を参照しながら例として説明される。
【図面の簡単な説明】
【０００７】
【図１】第１のコネクタ組立体と第２のコネクタ組立体とを含む、例示的な実施形態に従って形成されたコネクタシステムを示す図である。
【図２】図１に示した第２のコネクタ組立体の分解図である。
【図３】例示的な実施形態による第２のコネクタ組立体の外側コンタクトの斜視図である。
【図４】例示的な実施形態による第２のコネクタ組立体のキャビティインサートの斜視図である。
【図５】例示的な実施形態によるキャビティインサート組立体の斜視図である。
【図６】例示的な実施形態による一緒に結合された複数のキャビティインサート本体の格子の斜視図である。
【図７】例示的な実施形態によるキャビティインサート組立体の受取シェルに装填された誘電体部および外側コンタクトの斜視図である。
【図８】例示的な実施形態によるキャビティインサート組立体に装填された誘電体部および外側コンタクトの斜視図である。キャビティインサート組立体の受取シェルおよび閉鎖シェルは、連結位置にある。
【図９】例示的な実施形態に従って形成された組立済みキャビティインサート内の誘電体部および外側コンタクトの斜視図である。
【図１０】例示的な実施形態による第２のコネクタ組立体の断面図である。
【発明を実施するための形態】
【０００８】
図１は、例示的な実施形態に従って形成されたコネクタシステム１００を示す。コネクタシステム１００は、第１のコネクタ組立体１０２と、第２のコネクタ組立体１０４とを含む。第１のコネクタ組立体１０２および第２のコネクタ組立体１０４は、それらの間に電気信号を送出するために一緒に接続されるように構成される。例えば、第１のコネクタ組立体１０２の中心コンタクトおよび外側コンタクトは、コネクタ組立体１０２、１０４間に導電性信号経路を設けるために第２のコネクタ組立体１０４のそれぞれの中心コンタクトおよび外側コンタクトに係合することができる。任意選択で、第１のコネクタ組立体１０２はジャック組立体を構成することができ、その結果、中心コンタクトは嵌合端部にピンを有し、ピンは第２のコネクタ組立体１０４の中心コンタクトに係合する。
逆に、第２のコネクタ組立体１０４をプラグ組立体とすることができ、その結果、中心コンタクトは嵌合端部にソケットを形成し、ソケットは第１のコネクタ組立体１０２のピンを受け入れるように構成される。代替として、第１のコネクタ組立体１０２はプラグ組立体を構成することができ、第２のコネクタ組立体１０４はジャック組立体とすることができる。
【０００９】
第１のコネクタ組立体１０２はケーブル１０６に終端される。第２のコネクタ組立体１０４はケーブル１０８に終端される。例示的な実施形態では、ケーブル１０６、１０８は同軸ケーブルである。例えば、ケーブル１０６、１０８は、タイプＲＧ−５９、ＲＧ−６２、ＲＧ−７１などの同軸ケーブルとすることができる。ケーブル１０６、１０８に沿って送出される信号は、第１のコネクタ組立体１０２および第２のコネクタ組立体１０４が接続されたときそれらを通して移送される。
【００１０】
第１のコネクタ組立体１０２は、嵌合端部１１０とケーブル端部１１２とを有する。第１のコネクタ組立体１０２は、ケーブル端部１１２においてケーブル１０６に終端される。第２のコネクタ組立体１０４は、嵌合端部１１４とケーブル端部１１６とを有する。第２のコネクタ組立体１０４は、ケーブル端部１１６においてケーブル１０８に終端される。嵌合中に、第１のコネクタ組立体１０２の嵌合端部１１０は、第２のコネクタ組立体１０４の嵌合端部１１４にプラグ接続される。
【００１１】
図示の実施形態では、第１のコネクタ組立体１０２および第２のコネクタ組立体１０４は、ＦＡＫＲＡコネクタを構成する。ＦＡＫＲＡコネクタは、ＦＡＫＲＡ自動車専門家グループによって確立された同形式コネクタシステムのための標準に準拠するインタフェースを有するＲＦコネクタである。ＦＡＫＲＡコネクタは、自動車用途の高い機能的および安全性要件を満たす標準化されたキーシステムおよびロッキングシステムを有する。ＦＡＫＲＡコネクタは、スナップオン結合を特徴とし、５０、７５、９３、および／または１２５オームなどの特定のインピーダンスで動作するように設計された超小型バージョンＢコネクタ（ＳＭＢコネクタ）に基づく。コネクタシステム１００は、本明細書で説明するＦＡＫＲＡコネクタ以外の他のタイプのコネクタを利用することができる。
【００１２】
第１のコネクタ組立体１０２は、１つまたは複数のキーイング機構１１８を有し、第２のコネクタ組立体１０４は、第１のコネクタ組立体１０２のキーイング機構１１８と一致する１つまたは複数のキーイング機構１２０を有する。図示の実施形態では、キーイング機構１１８はリブであり、キーイング機構１２０は、リブを受け取るチャネルである。任意の数のキーイング機構を設けることができ、キーイング機構はＦＡＫＲＡコネクタの標準化設計の一部とすることができる。
【００１３】
第１のコネクタ組立体１０２はラッチ機構１２２を有し、第２のコネクタ組立体１０４はラッチ機構１２４を有する。ラッチ機構１２２は、キャッチによって画定され、ラッチ機構１２４は、ラッチによって画定される。ラッチ機構１２４は、第１のコネクタ組立体１０２と第２のコネクタ組立体１０４とを一緒に嵌合ておくためにキャッチに係合する。
【００１４】
図２は、第２のコネクタ組立体１０４およびケーブル１０８の分解図である。図３は、例示的な実施形態による第２のコネクタ組立体１０４の外側コンタクト１８４の斜視図である。図４は、例示的な実施形態による第２のコネクタ組立体１０４のキャビティインサート１８８の斜視図である。
【００１５】
図２を参照すると、第２のコネクタ組立体１０４は、中心コンタクト１８０、誘電体部１８２、外側コンタクト１８４、外側フェルール１８６、キャビティインサート１８８、および外側ハウジング１９２を含む。他の実施形態では、第２のコネクタ組立体１０４は、１つまたは複数の追加の構成要素を含むことができ、および／または列記された構成要素のすべてを必ずしも含まないことがある。
【００１６】
ケーブル１０８は、誘電体部１７２によって囲まれた中心導体１７０を有する同軸ケーブルとすることができる。ケーブル編組１７４が誘電体部１７２を囲む。ケーブル編組１７４は、ケーブル１０８の長さに沿って中心導体１７０をシールドする。ケーブルジャケット１７６が、ケーブル編組１７４を囲み、外力および汚染物質からケーブル編組１７４、誘電体部１７２、および中心導体１７０を保護する。
【００１７】
図示の実施形態では、中心コンタクト１８０は、ソケットコンタクトを構成し、ソケットコンタクトは、第１のコネクタ組立体１０２のピンコンタクト（図１に示した）を受け取り電気的に係合するように構成される。しかしながら、他のタイプのコンタクトが代替実施形態では可能である。中心コンタクト１８０は、ケーブル１０８の中心導体１７０に終端される。例えば、中心コンタクト１８０は、中心導体１７０にクリンプすることができる。
【００１８】
誘電体部１８２は、ケーブル１０８の中心コンタクト１８０と、おそらくは中心導体１７０の一部とを受け取り保持する。外側コンタクト１８４は、誘電体部１８２を受け入れる。誘電体部１８２は、中心コンタクト１８０を外側コンタクト１８４から電気的に分離する。外側コンタクト１８４は、誘電体部１８２と中心コンタクト１８０とを囲む。外側コンタクト１８４は、電磁干渉または無線周波数干渉などから中心コンタクト１８０をシールドする。例示的な実施形態では、外側コンタクト１８４は打抜き形成される。外側コンタクト１８４は、ケーブル編組１７４に電気的に接続されるように構成される。
【００１９】
外側フェルール１８６は、ケーブル１０８と外側コンタクト１８４とにクリンプされるように構成される。外側フェルール１８６は、外側コンタクトへの編組の電気的終端と、ケーブル１０８のための張力緩和とを行う。例示的な実施形態では、外側フェルール１８６は、ケーブル１０８のケーブル編組１７４とケーブルジャケット１７６との両方にクリンプされるように構成される。例えば、外側フェルール１８６は、バイパスクリンプまたは別のタイプのクリンプを使用してケーブル編組１７４とケーブルジャケット１７６とにクリンプされ得る。
【００２０】
キャビティインサート１８８は、外側コンタクト１８４の少なくとも一部分を囲み、キャビティインサート１８８の中に外側コンタクト１８４を保持するために外側コンタクト１８４を基準にして軸方向に固定される。キャビティインサート１８８は外側ハウジング１９２内に受け取られ、その中にリテーナ１９４によって保持される。キャビティインサート１８８は、外側ハウジング１９２内で外側コンタクト１８４の真位置を保持するために使用される。キャビティインサート１８８は、キャビティインサート１８８が外側ハウジング１９２内に固定されるように構成されるように、外側ハウジング１９２に一致する所定の外周を有する。
【００２１】
中心コンタクト１８０、誘電体部１８２、外側コンタクト１８４、外側フェルール１８６、およびキャビティインサート１８８は、ユニットとして外側ハウジング１９２に装填されるように構成された第２のコネクタサブ組立体１９６を画定する。他の構成要素も第２のコネクタサブ組立体１９６の一部とすることができる。外側ハウジング１９２は、第２のコネクタサブ組立体１９６を受け入れる空洞１９８を含む。リテーナ１９４は、第２のコネクタサブ組立体１９６を空洞１９８内で保持する。
【００２２】
外側ハウジング１９２は、前部２９０と後部２９２との間を延びる。リテーナ１９４は、外側ハウジング１９２の側面２９４を通して装填される。ラッチ機構１２４は、外側ハウジング１９２の上部２９６に沿って設けられる。本明細書で使用する「前部」、「後部」、「上部」、または「底部」などの相対的または空間的用語は、参照される要素を区別するためにのみ使用され、コネクタシステム１００におけるまたはコネクタシステム１００の周囲環境における特定の位置または方位を必ずしも必要としない。外側ハウジング１９２は、一般に、箱形の外側プロファイルを有する。外側ハウジング１９２の空洞１９８は、一般に、外側ハウジング１９２を通って延びる円筒孔である。空洞１９８には、キャビティインサート１８８を受け取り保持するために段差、肩部、および／またはチャネルが形成されていてもよい。
【００２３】
誘電体部１８２は、前部２００と後部２０２との間を延びる。誘電体部１８２は、中心コンタクト１８０を受け入れる空洞２０４を有する。誘電体部１８２は、そこから半径方向外側に延びるフランジ２０６を含む。任意選択で、フランジ２０６は、前部２００と後部２０２との間のほぼ中央に配置することができる。フランジ２０６は、外側コンタクト１８４内で誘電体部１８２を位置決めするために使用される。
【００２４】
図３を追加して参照すると、外側コンタクト１８４は、その前部２１０に嵌合端部２０８を、およびその後部２１４にケーブル端部２１２を有する。外側コンタクト１８４は、前部２１０と後部２１４との間に延びる空洞２１６を有する。例示的な実施形態では、外側コンタクト１８４は、階段状になったバレル形状を有することができる。バレル形状は、全体的に円筒状とするか、または異なるセグメントもしくは部分に沿って円筒状とすることができる。例示的な実施形態では、外側コンタクト１８４は、嵌合セグメント２４０、終端セグメント２３６、および嵌合セグメント２４０と終端セグメント２３６との間の中央セグメント２４２を含む。嵌合セグメント２４０は、嵌合端部２０８から後方に延びる。終端セグメント２３６は、ケーブル端部２１２から前方に延びる。
【００２５】
嵌合セグメント２４０は、第１のコネクタ組立体１０２（図１に示した）または別の相手側コネクタ組立体の外側相手側コンタクト（図示せず）に係合するように構成される。嵌合セグメント２４０は、複数のコンタクトビーム２２８を含む。コンタクトビーム２２８は、撓むことができ、第１のコネクタ組立体１０２の外側相手側コンタクトに対してばね装填されるように構成される。例えば、外側相手側コンタクトは、嵌合セグメントが外側相手側コンタクトの少なくとも一部を囲むように嵌合セグメント２４０に沿って空洞２１６内に受け取られ得る。嵌合セグメント２４０は、空洞２１６内に外側相手側コンタクトの遠位端を収容するのに十分な大きさの直径２４４を有することができる。コンタクトビーム２２８が外側相手側コンタクトに確実に係合するように、コンタクトビーム２２８は、直径の減少した区域を嵌合端部２０８に有するように外形をつくることができる。個々のコンタクトビーム２２８の各々は、別々に撓むことができ、外側コンタクト１８４が外側相手側コンタクトに確実に係合するように外側相手側コンタクトに法線力を加える。
【００２６】
嵌合端部２０８は、前部２１０にリング２３０を含むことができる。コンタクトビーム２２８は、リング２３０の後方に延び、外側コンタクト１８４のリング２３０と中央セグメント２４２との間に配設される。リング２３０は、外側コンタクト２２８を外側ハウジング１９２に装填する間の、および／または第１のコネクタ組立体１０２と噛み合う間の損傷からコンタクトビーム２２８を保護するためにコンタクトビーム２２８の前方に配置される。代替実施形態では、嵌合端部２０８はリング２３０を含まず、コンタクトビーム２２８が、嵌合端部２０８の少なくとも一部を画定する。嵌合端部２０８は、嵌合セグメント２４０から空洞２１６中に半径方向内側に延びる複数の突起２３１をさらに含むことができる。突起２３１は、コンタクトビーム２２８間に配置することができ、コンタクトビーム２２８と同様に、第１のコネクタ組立体１０２などの相手側コネクタ組立体の外側相手側コンタクトに係合するように構成することができる。図示の実施形態では、４つのコンタクトビーム２２８および４つの突起２３１が設けられており、それは、外側相手側コンタクトとの８つの接触点を画定している。
【００２７】
中央セグメント２４２は、嵌合セグメント２４０の後方にある。中央セグメント２４２は、キャビティインサート１８８によって周囲が囲まれるように構成される。中央セグメント２４２は、固定機構２３２を含むことができ、固定機構２３２は、キャビティインサート１８８に対する外側コンタクト１８４の軸方向位置を保持するためにキャビティインサート１８８の相補的固定機構２３４（図４に示した）に係合する。例えば、固定機構２３２は、中央セグメント２４２から半径方向外側に延びる位置決めタブとすることができる。位置決めタブは、キャビティインサート１８８の内面に沿って画定された開口に受け取られ得る。開口は固定機構２３４を形成する。例示的な実施形態では、中央セグメント２４２は、嵌合セグメント２４０の直径２４４よりも小さい直径２４６を有する。
直径２４６を減少させると、外側コンタクト１８４の中央セグメント２４２をキャビティインサート１８８で囲むことができるようになるとともに、第２のコネクタサブ組立体１９６全体が外側ハウジング１９２の空洞１９８内に嵌合できるようになる。例えば、中央セグメント２４２の直径が嵌合セグメント２４０と比較して減少されない場合、キャビティインサート１８８は、外側コンタクト１８４の上に嵌合して外側コンタクト１８４を囲むには、より大きい直径で形成される必要があることになる。その結果として、より大きいキャビティインサート１８８は、外側ハウジング１９２の空洞１９８内に適切に嵌合しないことになる。一般に、空洞１９８および外側ハウジング１９２のサイズは、業界標準および仕様に基づいて固定されるかまたは予め規定されており、そこで、より大きいキャビティインサート１８８を収容するために空洞１９８のサイズを増加させることは実行可能ではないことがある。したがって、中央セグメント２４２の直径２４６は、予め規定された空洞１９８のサイズをもつ１つまたは複数の外側ハウジング１９２内に第２のコネクタサブ組立体１９６を保持できるようにするために、狭い範囲のサイズに抑制されることがある。
【００２８】
終端セグメント２３６は、ケーブル１０８のケーブル編組１７４に終端されるように構成される。例えば、中心コンタクト１８０および誘電体部１７２は、ケーブル端部２１２を通して空洞２１６内に受け取ることができ、ケーブル編組１７４は、終端セグメント２３６の上で受け取ることができ、その結果、終端セグメント２３６は、誘電体部１７２とケーブル編組１７４との間に挟まれる。例示的な実施形態では、終端セグメント２３６は、中央セグメント２４２の直径２４６よりも大きい直径２４８を有する。終端セグメント２３６の直径２４８は、終端セグメント２３６に終端されるケーブル１０８のサイズまたはゲージに基づくことができる。終端セグメント２３６は、例えば、直径が中央セグメント２４２の直径２４６以下である場合、終端セグメント２３６内で嵌合しないことになるケーブルに終端するように構成することができる。終端セグメント２３６のより大きい直径２４８と中央セグメント２４２のより小さい直径２４６との間の差により、外側コンタクト１８４はより大きいケーブルを収容することができるようになり、一方、依然として、第２のコネクタサブ組立体１９６は外側ハウジング１９２の固定された空洞１９８内に嵌合することができるようになる。
【００２９】
図３に示されるように、中央セグメント２４２の直径２４６は、嵌合セグメント２４０および終端セグメント２３６のそれぞれの直径２４４、２４８よりも小さい。外側コンタクト１８４は、少なくとも第１の肩部２２４および第２の肩部２２５を画定するために長さに沿って階段状にされる。第１の肩部２２４は、嵌合セグメント２４０を中央セグメント２４２から分離する。第２の肩部２２５は、中央セグメント２４２を終端セグメント２３６から分離する。外側コンタクト１８４の長さに沿って後方に移動すると、第１の肩部２２４は、嵌合セグメント２４０から中央セグメント２４２に階段状に下がる。第２の肩部２２５は、中央セグメント２４２から終端セグメント２３６に階段状に上がる。
【００３０】
誘電体部１８２が空洞２１６に装填されると、フランジ２０６は、第１の肩部２２４に係合して、外側コンタクト１８４を基準にして誘電体部１８２を軸方向に配置する。外側コンタクト１８４は、１つまたは複数の保持タブ２２６を含むことができ、保持タブ２２６は、空洞２１６中に延びて、誘電体部１８２に係合し、それによって、誘電体部１８２を外側コンタクト１８４内で保持する。例えば、フランジ２０６の後部対向面は第１の肩部２２４に係合し、それは、外側コンタクト１８４の後部２１４の方への誘電体部１８２のさらなる移動を防止することができる。保持タブ２２６は、フランジ２０６の前部対向面に係合し、外側コンタクト１８４に対する誘電体部１８２の前方移動を防止することができる。このようにして、フランジ２０６が肩部２２４と保持タブ２２６との間に捕捉されて、誘電体部１８２の軸方向位置が外側コンタクト１８４内で保持される。誘電体部１８２を外側コンタクト１８４に配置するかまたは固定するための代替実施形態では、他のタイプの固定要素または位置決め要素を使用することができる。
【００３１】
外側コンタクト１８４は、バレル形状へと丸められる平坦な被加工物から打抜き形成することができる。平坦な被加工物は第１の端部２１８と第２の端部２２０とを有し、それらは、第１端部２１８と第２の端部２２０とが互いに対置するまでバレル形状へと互いの方に丸められる。シーム２２２が、第１の端部２１８と第２の端部２２０との間の界面に作り出される。第１の端部２１８および第２の端部２２０は、シーム２２２の界面において互いに接触することができる。第１の端部２１８および第２の端部２２０は、バレル形状を保持するためにシーム２２２で一緒に固定することができる。例えば、第２の端部２２０は、第１の端部２１８に画定された相補的ポケット１９０内に受け取られ維持されるタブ１７８を有することができ、またはその逆とすることができる。任意選択で、タブ１７８およびポケット１９０は、中央セグメント２４２に沿って軸方向に配置することができる。代替実施形態では、外側コンタクト１８４は、打抜き形成されるのではなく、ダイカスト、押出し、ねじ加工などのような別の製造方法によって製作することができる。
【００３２】
例示的な実施形態では、間隙２３８が、終端セグメント２３６の第１の端部２１８と第２の端部２２０との間のシーム２２２に沿って画定される。間隙２３８は、任意選択で、図３に示すように曲がりくねった経路に沿って延びることができる。間隙２３８のサイズは、終端セグメント２３６の直径を変更するために可変である。間隙２３８のサイズを変えると、中心導体１７０および／または中心コンタクト１８０を囲む外側コンタクト１８４の半径が変わり、それによって、内側導体と外側導体の間のキャパシタンスが影響を受け、インピーダンスが制御される。間隙２３８のサイズは、外側フェルール１８６で制御することができる。例えば、外側フェルール１８６を終端セグメント２３６のまわりにクリンプすることによって、終端セグメント２３６は、間隙２３８を閉じるように締めつけることができ、それはインピーダンスに影響を与える。
【００３３】
図２および図３を継続して参照しながら、次に、図４を参照すると、キャビティインサート１８８は、前端部２５０と後端部２５２とを含む。キャビティインサート１８８は、１つまたは複数の円筒状領域によってバレル形状にすることができる。キャビティインサート１８８は、前端部２５０と後端部２５２との間のキャビティインサート１８８を通るチャネル２５４を画定する内面２５３を有する。チャネル２５４は、外側コンタクト１８４を受け入れるように構成される。例えば、チャネル２５４は、キャビティインサート１８８が中央セグメント２４２を囲むように外側コンタクト１８４の中央セグメント２４２を受け取ることができる。任意選択で、キャビティインサート１８８は、中央セグメント２４２に加えて外側コンタクト１８４の嵌合セグメント２４０および／または終端セグメント２３６の少なくとも一部を囲むことができる。
【００３４】
例示的な実施形態では、チャネル２５４を画定する内面２５３は、キャビティインサート１８８が中央セグメント２４２の周囲を完全に囲むことができるようにするために中央セグメント２４２の直径２４６よりも少なくともわずかに大きくすることができる直径２６８を有する。しかしながら、直径２６８は、キャビティインサート１８８が外側ハウジング１９２の空洞１９８内に嵌合することができるようにするために、それぞれ、嵌合セグメント２４０および終端セグメント２３６の直径２４４、２４８よりも少なくともわずかに小さくすることができる。例えば、キャビティインサート１８８が直径２４４、２４８の一方または両方よりも大きい直径２６８を有する場合、キャビティインサート１８８の外面２５５は、外側ハウジング１９２の空洞１９８内に正しく嵌合しないことがある。直径２６８は、中央セグメント２４２を両側から挟む嵌合セグメント２４０および終端セグメント２３６の直径２４４、２４８の両方よりも小さいことがあるので、キャビティインサート１８８は、前部２１０または後部２１４のいずれかを横切ってキャビティインサート１８８を滑らせることによって外側コンタクト１８４に装填することができない。
【００３５】
例示的な実施形態では、キャビティインサート１８８は、第１のシェル２６４および第２のシェル２６６を含むツーピース構成から形成される。第１のシェル２６４はキャビティインサート１８８の周囲の一部分を形成し、第２のシェル２６６は周囲の残り部分を形成する。第１のシェル２６４および第２のシェル２６６は、図４に示した組立済みキャビティインサート１８８を形成するために界面２６７において一緒に連結される別個の部片とすることができる。最初に、第１のシェル２６４および第２のシェル２６６の一方で外側コンタクト１８４を受け取ることができ、次いで、第１のシェル２６４および第２のシェル２６６の他方で外側コンタクト１８４の周囲の残りのまわりを閉じることができる。本明細書で使用する第１のシェル２６４は受取シェル２６４と呼ばれ、これは外側コンタクト１８４を最初に受け取る。第２のシェル２６６は閉鎖シェル２６６と呼ばれ、これは、その後、外側コンタクト１８４の周囲を取り囲むために受取シェル２６４に連結される。しかしながら、代替実施形態では、第２のシェル２６６を受取シェルとすることができ、第１のシェル２６４を閉鎖シェルとすることができる。別の代替実施形態では、第１のシェル２６４および第２のシェル２６６は、両方のシェル２６４、２６６が外側コンタクト１８４を受け取り、外側コンタクト１８４のまわりを同時に閉じるように外側コンタクト１８４の方に同時に移動することができる。
【００３６】
第２のコネクタサブ組立体１９６を組み立てる間、キャビティインサート１８８は当初は分解されていてもよい。外側コンタクト１８４の中央セグメント２４２を受取シェル２６４に受け取ることができ、引き続いて、閉鎖シェル２６６を受取シェル２６４に連結することができる。このようにして、ツーピース構造を使用することによって、キャビティインサート１８８は、中央セグメント２４２に達するために、嵌合セグメント２４０または終端セグメント２３６のいずれかを横切って装填される必要がなく、キャビティインサート１８８は、中央セグメント２４２のより小さい直径２４６に基づく大きさに合わせることができる。
【００３７】
キャビティインサート１８８は、キャビティインサート１８８のまわりを円周方向に延びる複数のフランジを含む。フランジは、外側ハウジング１９２の表面に係合して外側ハウジング１９２に対するキャビティインサート１８８の軸方向位置を保持するために外側ハウジング１９２内に受け取られるように構成される。例えば、図示の実施形態では、キャビティインサート１８８は、少なくとも前部フランジ２５６、中間フランジ２５７、および後部フランジ２５８を含む。フランジ２５６〜２５８は、キャビティインサート１８８から半径方向外側に延びる。フランジ２５６〜２５８は、それぞれ、キャビティインサート１８８の前端部２５０、軸方向中間点、および後端部２５２に配設される必要がないことが認識される。
例えば、中間フランジ２５７は、後端部２５２よりも前端部２５０の近くに配置することができる。フランジ２５６〜２５８は、それらの間に形成される溝を画定する。例えば、第１の溝２６０は、前部フランジ２５６と中間フランジ２５７との間に形成することができ、第２の溝２６２は、中間フランジ２５７と後部フランジ２５８との間に形成することができる。一実施形態では、第２のコネクタサブ組立体１９６が外側ハウジング１９２に挿入されると、リテーナ１９４のアーム３７４（図１０に示す）が、第１の溝２６０内に受け取られる。キャビティインサート１８８を外側ハウジング１９２の空洞１９８内で保持するために、アーム３７４の後面は中間フランジ２５７に接触することができ、アーム３７４の前面は前部フランジ２５６に接触することができる。
【００３８】
任意選択で、キャビティインサート１８８は、外側コンタクト１８４の固定機構２３２に係合する固定機構２３４によって外側コンタクト１８４の軸方向位置を維持することができる。上述で説明したように、固定機構２３４は、開口とすることができ、開口は、外側コンタクト１８４の位置決めタブを受け入れるように構成される。任意選択で、開口２３４は、外側コンタクト１８４がキャビティインサート１８８内で少なくとも部分的に回転可能とすることができるように長くすることができる。別の実施形態では、キャビティインサート１８８は、外側コンタクト１８４の肩部２２４、２２５に係合することによって、外側コンタクト１８４の軸方向位置を維持する。例えば、第１の肩部２２４は、キャビティインサート１８８に対する外側コンタクト１８４の後方移動を防止するためにキャビティインサート１８８の前端部２５０に係合することができ、第２の肩部２２５は、キャビティインサート１８８に対する外側コンタクト１８４の前方移動を防止するために後端部２５２に係合することができる。外側コンタクト１８４をキャビティインサート１８８に配置するかまたは固定するための代替実施形態では、他のタイプの固定要素または位置決め要素を使用することができる。
【００３９】
図２に戻って参照すると、外側フェルール１８６は、前部２７０と後部２７２とを有する平坦な被加工物を打抜き形成することができる。外側フェルール１８６は、開口上部２７４を有するＵ字形などの開口バレル形状に形成することができる。外側フェルール１８６は、ケーブル１０８と、外側コンタクト１８４の終端セグメント２３６（図３に示した）とを受け取るように構成されたチャネル２７６を画定する。外側フェルール１８６は、編組セグメント２７８とジャケットセグメント２８０とを含む。編組セグメント２７８は外側フェルール１８６の前部２７０に設けられ、ジャケットセグメント２８０は外側フェルール１８６の後部２７２に設けられる。外側コンタクト１８４は、外側フェルール１８６を使用してケーブル１０８に終端される。
例えば、ひとたびケーブル１０８の中心コンタクト１８０および誘電体部１７２が、外側コンタクト１８４の終端セグメント２３６内に受け取られ、ケーブル編組１７４が終端セグメント２３６のまわりに装填されるならば、編組セグメント２７８がケーブル編組１７４に装填され、その結果、ケーブル編組１７４は外側フェルール１８６と終端セグメント２３６との間に挟まれ得る。次いで、編組セグメント２７８は、ケーブル１０８の編組１７４を外側コンタクト１８４の終端セグメント２３６に終端するためにクリンプすることができる。ジャケットセグメント２８０は、ケーブルジャケット１７６のまわりにクリンプすることができる。編組セグメント２７８とジャケットセグメント２８０の両方をケーブル１０８にクリンプすると、ケーブル１０８への張力が緩和される。外側フェルール１８６は、ケーブル１０８に対する外側フェルール１８６の軸方向位置を保持するのに役立つように、ケーブル編組１７４および／またはケーブルジャケット１７６に係合する表面を画定するノッチまたはセレーション２８６を含むことができる。
【００４０】
図５は、例示的な実施形態によるキャビティインサート組立体３００の斜視図である。キャビティインサート組立体３００は、図４に示したキャビティインサート１８８を形成するように組み立てることができる。例えば、キャビティインサート組立体３００は、受取シェル２６４と閉鎖シェル２６６とを含む。キャビティインサート組立体３００は、受取シェル２６４を閉鎖シェル２６６に接続する少なくとも１つのブリッジ３０２をさらに含む。図５に示した図示の実施形態は２つのブリッジ３０２を含む。ブリッジ３０２は、以下で説明するように、受取シェル２６４を閉鎖シェル２６６に直接的に結合させるか、またはシェル２６４、２６６の一方または両方から延びる１つまたは複数のレールを介して間接的に結合させることができる。例示的な実施形態では、受取シェル２６４、閉鎖シェル２６６、少なくとも１つのブリッジ３０２、およびすべてのレールは、単一体キャビティインサート本体３０４の一部として同時成形される。例えば、キャビティインサート組立体３００は、プラスチックなどの誘電体部材料から構成することができ、成形加工中に普通に形成することができる。
【００４１】
受取シェル２６４は、前部３０６と後部３０８とを含む。受取シェル２６４は、第１の端部３１０と、反対側の第２の端部３１２とをさらに含む。受取シェル２６４は、第１の端部３１０および第２の端部３１２が互いの方に湾曲してそれらの間にチャネル３１４を画定するように湾曲することができる。チャネル３１４は、前部３０６から後部３０８まで延び、外側コンタクト１８４（図３）の中央セグメント２４２（図３に示した）を受け入れるように構成される。同様に、閉鎖シェル２６６は、前部３１６と後部３１８とを含むことができる。閉鎖シェル２６６は、第１の端部３２０と、反対側の第２の端部３２２とをさらに含む。第１の端部３２０および第２の端部３２２は互いの方に湾曲し、それらの間にチャネル３２４を画定することができる。チャネル３２４は、前部３１６から後部３１８まで延びる。チャネル３２４は、中央セグメント２４２を受け入れるように構成することができる。図示の実施形態では、受取シェル２６４および閉鎖シェル２６６は両方ともキャビティインサート軸に沿って向きを定められる。
【００４２】
キャビティインサート組立体３００は、受取シェル２６４から延びる少なくとも１つのレールと、閉鎖シェル２６６から延びる少なくとも１つのレールとをさらに含むことができる。例えば、図示の実施形態では、４つのレールが受取シェル２６４から延びる。４つのレールには、２つの前部レール３２８と２つの後部レール３３０とが含まれる。前部レール３２８は、一般に受取シェル２６４の前部３０６に近い受取シェル２６４から延び、後部レール３３０は、一般に後部３０８に近い受取シェル２６４から延びる。レール３２８、３３０は、キャビティインサート軸３２６に対して横方向の角度で受取シェル２６４から延びる。例えば、レール３２８、３３０は、キャビティインサート軸３２６に対して直交する角度で受取シェル２６４から横方向に延びることができる。同様に、図示の実施形態では、２つの前部レール３３２および２つの後部レール３３４が閉鎖シェル２６６から延びる。前部レール３３２は前部３１６の近くに配設され、後部レール３３４は後部３１８の近くに配設される。
レール３３２、３３４は、キャビティインサート軸３２６に対して横方向の角度で閉鎖シェル２６６から延びる。任意選択で、レール３３２、３３４は、受取シェル２６４から延びるレール３２８、３３０と平行に延びることができる。ブリッジ３０２は、受取シェル２６４から延びる前部レール３２８を、閉鎖シェル２６６から延びる後部レール３３４に接続する。他の実施形態では、受取シェル２６４と閉鎖シェル２６６との相対位置を交換することができ、ブリッジ３０２は、受取シェル２６４から延びる後部レール３３０を、閉鎖シェル２６６から延びる前部レール３３２に接続することができる。代替実施形態では、受取シェル２６４を閉鎖シェル２６６に接続するために、ブリッジ３０２は、受取シェル２６４と閉鎖シェル２６６とから直接延びる。
【００４３】
図６は、一実施形態による一緒に結合された複数のキャビティインサート本体３０４の格子３４０の斜視図である。例えば、図示の格子３４０は、３つのキャビティインサート本体３０４Ａ、３０４Ｂ、３０４Ｃを含み、本体３０４Ｂは本体３０４Ａと本体３０４Ｃとの間に配設される。一実施形態では、キャビティインサート本体３０４Ａ〜３０４Ｃは、連続成形プロセスによって格子３４０に一緒に形成することができる。１つのキャビティインサート本体３０４の受取シェル２６４の後部レール３３０は、隣接するキャビティインサート本体３０４の閉鎖シェル２６６の前部レール３３２に結合され得る。代替として、互いに直接接続するキャビティインサート本体３０４の代わりに、キャビティインサート本体３０４は、各々、本体３０４を一緒に保持する担体細片（図示せず）に接続されてもよい。代替実施形態では、キャビティインサート本体３０４Ａ〜３０４Ｃは、成形プロセスの結果として縦一列の代わりに横に並べて接続されてもよい。
【００４４】
図７〜図９は、例示的な実施形態に従ってキャビティインサート１８８を組み立てるためのステップを説明する。図７は、キャビティインサート組立体３００の受取シェル２６４に装填された誘電体部１８２および外側コンタクト１８４の斜視図である。外側コンタクト１８４の中央セグメント２４２は、受取シェル２６４のチャネル３１４に受け取られる。嵌合セグメント２４０は、受取シェル２６４の前方に空間３４２中に延びる。空間３４２は、受取シェル２６４から延びる前部レール３２８、閉鎖シェル２６６から延びる後部レール３３４、およびブリッジ３０２によって境界をつけられる。
キャビティインサート組立体３００の受取シェル２６４は、キーイング機構３４４を有し、閉鎖シェル２６６は、相補的キーイング機構３４６を有する。相補的キーイング機構３４６は、シェル２６４、２６６が連結されるときキーイング機構３４４と噛み合って、シェル２６４、２６６の位置合わせに役立つように構成される。図示の実施形態では、キーイング機構３４４はスタブであり、キーイング機構３４６は、シェル２６４、２６６が連結されるときスタブを受け取るスロットである。図示の実施形態の受取シェル２６４は２つのスタブ３４４を含み、閉鎖シェル２６６は２つの対応するスロット３４６を含む。
【００４５】
図８は、一実施形態によるキャビティインサート組立体３００に装填された誘電体部１８２および外側コンタクト１８４の斜視図である。図８に示すように、受取シェル２６４および閉鎖シェル２６６は、連結位置にある。例示的な実施形態では、ブリッジ３０２はリビングヒンジを形成する。リビングヒンジにより、閉鎖シェル２６６は、受取シェル２６４の上に、それらの間の界面２６７において、折り重なることができるようになる。例えば、閉鎖シェル２６６は、受取シェル２６４に係合するために一般にキャビティインサート軸３２６内で湾曲軌道３５０に沿って移動する。閉鎖シェル２６６の前部３１６（図５に示した）は、受取シェル２６４の後部３０８（図５）と整列し、閉鎖シェル２６６の後部３１８（図５）は、受取シェル２６４の前部３０６（図５）と整列する。
ブリッジ３０２は、受取シェル２６４を基準として閉鎖シェル２６６に回転軸を与えるように曲がる。シェル２６４、２６６は一緒にプレス加工され、組立済みキャビティインサート１８８（図４）のチャネル２５４（図４に示した）を画定するように組み合うので、閉鎖シェル２６６のチャネル３２４（図７に示した）は受取シェル２６４のチャネル３１４（図７）を正確に模倣することができる。受取シェル２６４および閉鎖シェル２６６は一緒に外側コンタクト１８４の中央セグメント２４２（図７に示した）の全周囲を囲む。
【００４６】
閉鎖シェル２６６は受取シェル２６４の方に折り畳まれるので、閉鎖シェル２６６の第１の端部３２０（図５に示した）は、受取シェル２６４の第１の端部３１０（図５）に連結されるかまたは係合し、閉鎖シェル２６６の第２の端部３２２は、受取シェル２６４の第２の端部３１２に係合する。第１のシーム３５２は、それぞれのシェル２６４、２６６の第１の端部３１０、３２０の間の界面２６７に画定される。第２のシーム３５４は、それぞれのシェル２６４、２６６の第２の端部３１２、３２２の間の界面２６７に画定される。それぞれの受取シェル２６４および閉鎖シェル２６６のキーイング機構３４４、３４６は閉鎖シェル２６６が受取シェル２６４に係合するとき噛み合う。例えば、スロット３４６はスタブ３４４を受け取り、これは、シェル２６４、２６６の適切な位置合わせを維持し、シェル２６４、２６６の分離を防止するようにいくらか保持をもたらすこともできる。加えて、閉鎖シェル２６６から延びる前部レール３３２は、受取シェル２６４の後部レール３３０と整列し係合することができ、後部レール３３４は前部レール３２８と整列し係合することができる。
【００４７】
ひとたび閉鎖シェル２６６が受取シェル２６４と位置合わせされて係合し、外側コンタクト１８４が閉鎖シェル２６６と受取シェル２６４との間に配設されるならば、シェル２６４、２６６は、結合プロセスまたは機構によって界面２６７において一緒に連結させることができる。例示的な実施形態では、シェル２６４、２６６は、溶接プロセスによって、例えば超音波溶接などによって連結させることができる。他の実施形態では、シェル２６４、２６６は、接着剤、ラッチング機構、摩擦嵌めなどによって連結させることができる。結合プロセスまたは結合機構の後、シェル２６４、２６６は、外側コンタクト１８４の中央セグメント２４２（図７に示した）のまわりに一緒に固定される。超音波溶接を使用して、例えば、２つのシェル２６４、２６６は恒久的に一緒に固定することができる。
【００４８】
図９は、組立済みキャビティインサート１８８内の誘電体部１８２および外側コンタクト１８４の斜視図である。一実施形態では、組立済みキャビティインサート１８８は、受取シェル２６４と閉鎖シェル２６６とを連結した後、キャビティインサート組立体３００（図８）からブリッジ３０２（図８に示した）とレール３２８〜３３４（図８）とを取り除いたときに完了する。ブリッジ３０２とレール３２８〜３３４とは、レール３２８〜３３４がシェル２６４、２６６から延びる場所で切断するかまたはトリミングすることによって取り除くことができる。
代替として、レール３２８〜３３４および／またはブリッジ３０２は、シェル２６４、２６６からレール３２８〜３３４とブリッジ３０２とを取り除くために、曲げおよびねじり、化学的な粉砕などを行うことができる。ひとたびレール３２８〜３３４とブリッジ３０２とが取り除かれれば、組立済みキャビティインサート１８８は１つまたは複数の切断領域３６０を有することができる。切断領域３６０は、シェル２６４、２６６からレール３２８〜３３４を取り除くためにトリミングが行われた区域を示す。切断領域３６０は、シェル２６４とシェル２６６との間の界面２６７に配置することができる。切断領域３６０は、キャビティインサート１８８のバレル形状周囲に沿って曲げられる代わりに比較的平坦とすることができる。
【００４９】
外側コンタクト１８４がキャビティインサート１８８内にあるとき、外側コンタクト１８４の嵌合セグメント２４０はキャビティインサート１８８の前方に延びる。代替実施形態では、キャビティインサート１８８は、前端部２５０にスリーブ（図示せず）を含むことができる。スリーブは、第２のコネクタ組立体１０４（図１に示した）を外側ハウジング１９２（図２）に装填する間、および／または第２のコネクタ組立体１０４を第１のコネクタ組立体１０２（図１）に嵌合る間などにコンタクトビーム２２８を保護するために外側コンタクト１８４の嵌合セグメント２４０を円周方向に囲む。一実施形態では、外側コンタクト１８４の終端セグメント２３６は、キャビティインサート１８８の後端部２５２の後方に延びる。
【００５０】
図１０は、例示的な実施形態による第２のコネクタ組立体１０４の断面図である。第２のコネクタサブ組立体１９６は、装填方向３６８に外側ハウジング１９２の後部２９２から外側ハウジング１９２の空洞１９８中に装填される。キャビティインサート１８８の後部フランジ２５８は、装填方向３６８への第２のコネクタサブ組立体１９６のさらなる移動を防止するために外側ハウジング１９２の内面３７２に沿って肩部３７０に接触する。
リテーナ１９４のアーム３７４は、前部フランジ２５６と中間フランジ２５７との間の、キャビティインサート１８８の第１の溝２６０内に受け取られる。リテーナ１９４のアーム３７４は、リテーナ１９４に対する第２のコネクタサブ組立体１９６の軸方向移動を防止するために前部フランジ２５６および／または中間フランジ２５７に接触する。リテーナ１９４は、外側ハウジング１９２に結合され、そこで、リテーナ１９４は、外側ハウジング１９２の空洞１９８中にキャビティインサート１８８をロックして、空洞１９８内のサブ組立体１９６の軸方向位置を保持する。外側ハウジング１９２のラッチ機構１２４および／または第１のコネクタ組立体１０２（図１）のラッチ機構１２２（図１）は、第１のコネクタ組立体１０２が第２のコネクタ組立体１０４に噛み合わされるときキャビティインサート１８８の第２の溝２６２内に受け取られ得る。
【００５１】
一実施形態では、取り付けられたケーブル１０８、外側フェルール１８６、誘電体部１８２、および中心コンタクト１８０を中に含む外側コンタクト１８４の軸方向位置を、キャビティインサート１８８および外側ハウジング１９２に対して保持するために、外側コンタクト１８４の第１の肩部２２４は、キャビティインサート１８８の朝顔形の前端部３７６に係合し、第２の肩部２２５は、キャビティインサート１８８の朝顔形の後端部３７８に係合する。そのため、キャビティインサート１８８は、外側コンタクト１８４の嵌合セグメント２４０と終端セグメント２３６との間に軸方向に配置され保持され得る。
【００５２】
上述の説明は、例示であって限定ではないように意図されていることが理解されるべきである。例えば、上述の実施形態（および／またはその態様）は互いに組み合わせて使用することができる。加えて、本発明の範囲から逸脱することなく、本発明の教示に特定の状況または材料を適応させるために、多くの変更がなされ得る。様々な構成要素の寸法、材料のタイプ、方位、ならびに本明細書で説明する様々な構成要素の数および位置は、いくつかの実施形態のパラメータを画定するように意図され、決して限定でなく、単に例示的な実施形態である。特許請求の範囲の趣旨および範囲内の多くの他の実施形態および変更は、上述の説明を調査する際に当業者には明らかとなるであろう。それゆえに、本発明の範囲は、添付された特許請求の範囲を参照しながら、そのような特許請求の範囲が権利を与えられる均等物の全範囲とともに決定されるべきである。
【図１】
0006322340.tif 000002
【図２】
0006322340.tif 000003
【図３】
0006322340.tif 000004
【図４】
0006322340.tif 000005
【図５】
0006322340.tif 000006
【図６】
0006322340.tif 000007
【図７】
0006322340.tif 000008
【図８】
0006322340.tif 000009
【図９】
0006322340.tif 000010
【図１０】
0006322340.tif 000011